(57)【特許請求の範囲】
【請求項１】
第１の色で発光する第１の光源、第２の色で発光する第２の光源、及び第３の色で発光する第３の光源を含むバックライトと、
第１の色の光を透過する第１のサブピクセル、第２の色の光を透過する第２のサブピクセル、及び第３の色の光を透過する第３のサブピクセルを含む画素の集合である液晶パネルと、
前記第１の光源、第２の光源、及び第３の光源の発光を独立に制御する光源制御手段と、
前記第１のサブピクセル、第２のサブピクセル、及び第３のサブピクセルの透過率を画像データに応じて制御する液晶制御手段と、
を備える液晶表示装置であって、
第２の光源、第１のサブピクセル、及び第３のサブピクセルは、
第２の光源の発光スペクトルは第２の色と第１の色との中間色である第４の色を更に含み、且つ、第１のサブピクセルは第４の色の光を更に透過する第１の条件、又は、
第２の光源の発光スペクトルは第２の色と第３の色との中間色である第５の色を更に含み、且つ、第３のサブピクセルは第５の色の光を更に透過する第２の条件、の少なくともいずれかの条件を満たし、
前記光源制御手段は、１フレームの表示期間を、第１の光源及び第３の光源を点灯させることにより、第１のサブピクセルから第１の色の光を透過させるとともに第３のサブピクセルから第３の色の光を透過させる、第１のサブフレーム期間と、
第２の光源を点灯させることにより、第２のサブピクセルから第２の色の光を透過させるとともに、前記第１の条件を満たす場合に第１のサブピクセルから第４の色の光を透過させ、前記第２の条件を満たす場合に第３のサブピクセルから第５の色の光を透過させ、前記第１の条件及び前記第２の条件を共に満たす場合に第１のサブピクセルから第４の色の光を透過させるとともに第３のサブピクセルから第５の色の光を透過させる第２のサブフレーム期間と、
を含む複数のサブフレーム期間に分割して光源の制御を行い、
前記液晶表示装置が再現可能な色域領域は、第１の色と第２の色と第３の色からなる３角形の色域領域よりも広い
ことを特徴とする液晶表示装置。
【請求項２】
前記液晶制御手段は、
第１のサブフレーム期間において、画像データの第１の色のデータに応じて第１のサブピクセルの透過率を制御するとともに、画像データの第３の色のデータに応じて第３のサブピクセルの透過率を制御し、
第２のサブフレーム期間において、画像データの第２の色のデータに応じて第２のサブピクセルの透過率を制御するとともに、第１のサブピクセルから第４の色の光を透過させる場合には画像データの第４の色のデータに応じて第１のサブピクセルの透過率を制御し、第３のサブピクセルから第５の色の光を透過させる場合には画像データの第５の色のデータに応じて第３のサブピクセルの透過率を制御する請求項１に記載の液晶表示装置。
【請求項３】
前記液晶制御手段は、第１のサブフレーム期間において、第２のサブピクセルの透過率を最小値に制御する請求項１又は２に記載の液晶表示装置。
【請求項４】
前記第１の光源の発光スペクトルは第１の色と第２の色の中間色である第６の色を含み、
前記第２のサブピクセルは第６の色の光を更に透過するとともに第３の光源の発光スペクトルに含まれる色の光を透過せず、
前記光源制御手段は、
第１のサブフレーム期間において、第１の光源及び第３の光源を点灯させることにより、第１のサブピクセルから第１の色の光を透過させ、第２のサブピクセルから第６の色の光を透過させ、第３のサブピクセルから第３の色の光を透過させる
請求項１に記載の液晶表示装置。
【請求項５】
前記第３の光源の発光スペクトルは第３の色と第２の色の中間色である第７の色を含み、
前記第２のサブピクセルは第７の色の光を更に透過するとともに第１の光源の発光スペクトルに含まれる色の光を透過せず、
前記光源制御手段は、
第１のサブフレーム期間において、第１の光源及び第３の光源を点灯させることにより、第１のサブピクセルから第１の色の光を透過させ、第２のサブピクセルから第７の色の光を透過させ、第３のサブピクセルから第３の色の光を透過させる
請求項１に記載の液晶表示装置。
【請求項６】
第１の色は青色、第２の色は緑色、第３の色は赤色、第４の色はシアン色、第５の色は黄色である請求項１〜５のいずれか１項に記載の液晶表示装置。
【請求項７】
第１の色で発光する第１の光源、第２の色で発光する第２の光源、第３の色で発光する第３の光源、及び第４の色で発光する第４の光源を含むバックライトと、
第１の色の光を透過する第１のサブピクセル、第２の色と第３の色との中間色である第５の色の光を透過する第２のサブピクセル、及び第４の色の光を透過する第３のサブピクセルを含む画素の集合である液晶パネルと、
前記第１の光源、第２の光源、第３の光源、及び第４の光源の発光を独立に制御する光源制御手段と、
前記第１のサブピクセル、第２のサブピクセル、及び第３のサブピクセルの透過率を画像データに応じて制御する液晶制御手段と、
を備える液晶表示装置であって、
前記光源制御手段は、１フレームの表示期間を、第２及び第３の光源を点灯させることにより、第２のサブピクセルから第５の色の光を透過させるとともに、第１のサブピクセルから第１の色と第２の色との中間色である第６の色の光を透過させるか又は第３のサブ
ピクセルから第３の色と第４の色との中間色である第７の色の光を透過させるかの少なくともいずれかとするサブフレーム期間を含む複数のサブフレーム期間に分割して光源の制御を行う液晶表示装置。
【請求項８】
第２の光源、第３の光源、第１のサブピクセル、及び第３のサブピクセルは、
第２の光源の発光スペクトルは第１の色と第２の色との中間色である第６の色を更に含み、且つ、第１のサブピクセルは第６の色の光を更に透過する第１の条件、又は、
第３の光源の発光スペクトルは第３の色と第４の色との中間色である第７の色を更に含み、且つ、第３のサブピクセルは第７の色の光を更に透過する第２の条件、の少なくともいずれかの条件を満たし、
前記サブフレーム期間は、第２の光源及び第３の光源を点灯させることにより、第２のサブピクセルから第５の色の光を透過させるとともに、前記第１の条件を満たす場合に第１のサブピクセルから第６の色の光を透過させ、前記第２の条件を満たす場合に第３のサブピクセルから第７の色の光を透過させ、前記第１の条件及び前記第２の条件を共に満たす場合に第１のサブピクセルから第６の色の光を透過させるか又は第３のサブピクセルから第７の色の光を透過させるかの少なくともいずれかとされることを特徴とする請求項７に記載の液晶表示装置。
【請求項９】
前記光源制御手段は、１フレームの表示期間を、
第１の光源及び第４の光源を点灯させることにより、第１のサブピクセルから第１の色の光を透過させるとともに第３のサブピクセルから第４の色を透過させる、第１のサブフレーム期間と、
第２の光源及び第３の光源を点灯させることにより、第２のサブピクセルから第５の色の光を透過させるとともに、第１のサブピクセルから第１の色と第２の色との中間色である第６の色の光を透過させるか又は第３のサブピクセルから第３の色と第４の色との中間色である第７の色の光を透過させるかの少なくともいずれかとする第２のサブフレーム期間と、
を含む複数のサブフレーム期間に分割して光源の制御を行うことを特徴とする請求項７又は８に記載の液晶表示装置。
【請求項１０】
第１の色で発光する第１の光源、第２の色で発光する第２の光源、及び第３の色で発光する第３の光源を含むバックライトと、
第１の色の光を透過する第１のサブピクセル、第２の色の光を透過する第２のサブピクセル、及び第３の色の光を透過する第３のサブピクセルを含む画素の集合である液晶パネルと、
を備える液晶表示装置の制御方法であって、
前記第１の光源、第２の光源、及び第３の光源の発光を独立に制御する光源制御ステップと、
前記第１のサブピクセル、第２のサブピクセル、及び第３のサブピクセルの透過率を画像データに応じて制御する液晶制御ステップと、
を有し、
第２の光源、第１のサブピクセル、及び第３のサブピクセルは、
第２の光源の発光スペクトルは第２の色と第１の色との中間色である第４の色を更に含み、且つ、第１のサブピクセルは第４の色の光を更に透過する第１の条件、又は、
第２の光源の発光スペクトルは第２の色と第３の色との中間色である第５の色を更に含み、且つ、第３のサブピクセルは第５の色の光を更に透過する第２の条件、の少なくともいずれかの条件を満たし、
前記光源制御ステップでは、１フレームの表示期間を、第１の光源及び第３の光源を点灯させることにより、第１のサブピクセルから第１の色の光を透過させるとともに第３のサブピクセルから第３の色の光を透過させる、第１のサブフレーム期間と、
第２の光源を点灯させることにより、第２のサブピクセルから第２の色の光を透過させるとともに、前記第１の条件を満たす場合に第１のサブピクセルから第４の色の光を透過させ、前記第２の条件を満たす場合に第３のサブピクセルから第５の色の光を透過させ、前記第１の条件及び前記第２の条件を共に満たす場合に第１のサブピクセルから第４の色の光を透過させるとともに第３のサブピクセルから第５の色の光を透過させる第２のサブフレーム期間と、
を含む複数のサブフレーム期間に分割して光源の制御が行われ、
前記液晶表示装置が再現可能な色域領域は、第１の色と第２の色と第３の色からなる３角形の色域領域よりも広い
ことを特徴とする液晶表示装置の制御方法。
【請求項１１】
第１の色で発光する第１の光源、第２の色で発光する第２の光源、第３の色で発光する第３の光源、及び第４の色で発光する第４の光源を含むバックライトと、
第１の色の光を透過する第１のサブピクセル、第２の色と第３の色との中間色である第５の色の光を透過する第２のサブピクセル、及び第４の色の光を透過する第３のサブピクセルを含む画素の集合である液晶パネルと、
を備える液晶表示装置の制御方法であって、
前記第１の光源、第２の光源、第３の光源、及び第４の光源の発光を独立に制御する光源制御ステップと、
前記第１のサブピクセル、第２のサブピクセル、及び第３のサブピクセルの透過率を画像データに応じて制御する液晶制御ステップと、
を有し、
前記光源制御ステップでは、１フレームの表示期間を、第２及び第３の光源を点灯させることにより、第２のサブピクセルから第５の色の光を透過させるとともに、第１のサブピクセルから第１の色と第２の色との中間色である第６の色の光を透過させるか又は第３のサブピクセルから第３の色と第４の色との中間色である第７の色の光を透過させるかの少なくともいずれかとするサブフレーム期間を含む複数のサブフレーム期間に分割して光源の制御が行われる液晶表示装置の制御方法。
【発明の詳細な説明】
【技術分野】
【０００１】
本発明は、液晶表示装置及びその制御方法に関するものである。
【背景技術】
【０００２】
一般的に液晶表示装置の色再現範囲は、バックライト光源の分光波長特性とカラーフィルタの分光波長透過特性の積によって決定される。ピクセルを構成する、赤色、緑色及び青色の３原色のサブピクセルで色再現する場合、色再現できる色域領域は各サブピクセルで表示できる表示色の色度点の頂点を結んだ、三角形の内側の領域に限定される。
【０００３】
表示可能な色域領域を拡張する方法の１つとして、分光波長特性が異なる２種類以上の光源を用い、時分割発光を行う方法がある。各光源と分光波長透過特性の異なる複数のサブピクセルとの組み合わせによって表示可能な表示色に合わせ、入力画像情報をカラーマトリックス変換し、時分割発光制御に同期して液晶パネルを駆動制御する。さらに、隣接色のサブピクセルからの光漏れを防ぐために、そのサブピクセルを遮光し、黒表示とする。これにより、色純度を高めた多原色表示を実現する技術（例えば、特許文献１参照）が提案されている。
【先行技術文献】
【特許文献】
【０００４】
【特許文献１】特開２００４−１１８１３３号公報
【発明の概要】
【発明が解決しようとする課題】
【０００５】
図３（ｆ）における分光波長特性において、赤色３０１、緑色３０３、青色３０５に、赤色と緑色との中間色にあたる黄色３０２、及び緑色と青色との中間色にあたるシアン色３０４を加えた５原色表示を実現することを考える。そのためには、特許文献１に記載の技術では、少なくとも赤色３０１、緑色３０３及び青色３０５に分光波長のピークを持つ光源と、黄色３０２及びシアン色３０４の分光波長ピークを持つ光源を設ける必要があるという課題があった。
【０００６】
そこで本発明は、３色の光源に他の色の光源を追加したり、３色のサブピクセルに他の色のサブピクセルを追加したりすることなく、３原色表示よりも表示可能な色域を広くすることを可能にする技術を提供することを目的とする。
【課題を解決するための手段】
【０００７】
本発明は、第１の色で発光する第１の光源、第２の色で発光する第２の光源、及び第３の色で発光する第３の光源を含むバックライトと、
第１の色の光を透過する第１のサブピクセル、第２の色の光を透過する第２のサブピクセル、及び第３の色の光を透過する第３のサブピクセルを含む画素の集合である液晶パネルと、
前記第１の光源、第２の光源、及び第３の光源の発光を独立に制御する光源制御手段と、
前記第１のサブピクセル、第２のサブピクセル、及び第３のサブピクセルの透過率を画像データに応じて制御する液晶制御手段と、
を備える液晶表示装置であって、
第２の光源、第１のサブピクセル、及び第３のサブピクセルは、
第２の光源の発光スペクトルは第２の色と第１の色との中間色である第４の色を更に含み、且つ、第１のサブピクセルは第４の色の光を更に透過する第１の条件、又は、
第２の光源の発光スペクトルは第２の色と第３の色との中間色である第５の色を更に含み、且つ、第３のサブピクセルは第５の色の光を更に透過する第２の条件、の少なくともいずれかの条件を満たし、
前記光源制御手段は、１フレームの表示期間を、第１の光源及び第３の光源を点灯させることにより、第１のサブピクセルから第１の色の光を透過させるとともに第３のサブピクセルから第３の色の光を透過させる、第１のサブフレーム期間と、
第２の光源を点灯させることにより、第２のサブピクセルから第２の色の光を透過させるとともに、前記第１の条件を満たす場合に第１のサブピクセルから第４の色の光を透過させ、前記第２の条件を満たす場合に第３のサブピクセルから第５の色の光を透過させ、前記第１の条件及び前記第２の条件を共に満たす場合に第１のサブピクセルから第４の色の光を透過させるとともに第３のサブピクセルから第５の色の光を透過させる第２のサブフレーム期間と、
を含む複数のサブフレーム期間に分割して光源の制御を行い、
前記液晶表示装置が再現可能な色域領域は、第１の色と第２の色と第３の色からなる３角形の色域領域よりも広い
ことを特徴とする液晶表示装置である。
【０００８】
本発明は、第１の色で発光する第１の光源、第２の色で発光する第２の光源、及び第３の色で発光する第３の光源を含むバックライトと、
第１の色の光を透過する第１のサブピクセル、第２の色の光を透過する第２のサブピクセル、及び第３の色の光を透過する第３のサブピクセルを含む画素の集合である液晶パネルと、
を備える液晶表示装置の制御方法であって、
前記第１の光源、第２の光源、及び第３の光源の発光を独立に制御する光源制御ステップと、
前記第１のサブピクセル、第２のサブピクセル、及び第３のサブピクセルの透過率を画像データに応じて制御する液晶制御ステップと、
を有し、
第２の光源、第１のサブピクセル、及び第３のサブピクセルは、
第２の光源の発光スペクトルは第２の色と第１の色との中間色である第４の色を更に含み、且つ、第１のサブピクセルは第４の色の光を更に透過する第１の条件、又は、
第２の光源の発光スペクトルは第２の色と第３の色との中間色である第５の色を更に含み、且つ、第３のサブピクセルは第５の色の光を更に透過する第２の条件、の少なくともいずれかの条件を満たし、
前記光源制御ステップでは、１フレームの表示期間を、第１の光源及び第３の光源を点灯させることにより、第１のサブピクセルから第１の色の光を透過させるとともに第３のサブピクセルから第３の色の光を透過させる、第１のサブフレーム期間と、
第２の光源を点灯させることにより、第２のサブピクセルから第２の色の光を透過させるとともに、前記第１の条件を満たす場合に第１のサブピクセルから第４の色の光を透過させ、前記第２の条件を満たす場合に第３のサブピクセルから第５の色の光を透過させ、前記第１の条件及び前記第２の条件を共に満たす場合に第１のサブピクセルから第４の色の光を透過させるとともに第３のサブピクセルから第５の色の光を透過させる第２のサブフレーム期間と、
を含む複数のサブフレーム期間に分割して光源の制御が行われ、
前記液晶表示装置が再現可能な色域領域は、第１の色と第２の色と第３の色からなる３角形の色域領域よりも広い
ことを特徴とする液晶表示装置の制御方法である。
【発明の効果】
【０００９】
本発明によれば、３色の光源に他の色の光源を追加したり、３色のサブピクセルに他の色のサブピクセルを追加したりすることなく、３原色表示よりも表示可能な色域を広くすることができる。
【図面の簡単な説明】
【００１０】
【図１】実施例１の液晶表示処理部の構成を示すブロック図
【図２】実施例１の光源部及び液晶部の構成を示す構造図
【図３】実施例１の光源、透過光、及びサブピクセルの波長特性
【図４】実施例１の色再現できる色域領域を示す色度図
【図５】実施例１の光源及びサブピクセルの動作の説明図
【図６】実施例１の液晶表示処理部の動作を示すフローチャート
【図７】実施例２の光源、透過光、及びサブピクセルの波長特性
【図８】実施例２の色再現できる色域領域図、光源及びサブピクセルの動作説明図
【図９】実施例３の透過光の波長特性及び色再現できる色域領域を示す色度図
【図１０】実施例３の光源及びサブピクセルの動作の説明図
【図１１】実施例４の光源、透過光、及びサブピクセルの波長特性
【図１２】実施例４の色再現できる色域領域を示す色度図
【発明を実施するための形態】
【００１１】
（実施例１）
以下、本発明の第１の実施例に係るバックライトに多原色光源を用いた液晶表示装置について説明する。第１の実施例は、動作原理の概念をわかりやすく説明するため、各光源が理想的な分光波長特性をもち、各サブピクセルが理想的な分光波長透過特性をもつことを前提にした実施例である。
【００１２】
図１は、第１の実施例を実現する液晶表示装置内部の液晶表示処理部１００の構成を示
したブロック図である。液晶表示処理部１００は、映像データ変換部１０１、カラーマトリックス変換部１０２、サブフレーム分割部１０３、光源制御信号生成部１０４、液晶制御信号生成部１０５、同期制御部１０６、光源制御部１０７、液晶制御部１０８、光源部１０９及び液晶部１１０を有する。
【００１３】
映像データ変換部１０１は、外部より入力される入力映像信号を、液晶部１１０の表示解像度に合わせたピクセル単位のデジタル映像信号に変換し、カラーマトリックス変換部１０２に出力する。スケーリング処理やＩ／Ｐ変換処理が必要な場合は、映像データ変換部１０１がこれらの処理を担う。カラーマトリックス変換部１０２は、デジタル映像信号に対し、予め設定される５原色カラー変換テーブルを用いてカラーマトリックス変換を行い、５原色映像信号を生成する。生成された５原色映像信号は、サブフレーム分割部１０３に出力される。
【００１４】
第１の実施例では、1つのフレーム画像を２つのサブフレームによる時分割で表示する
。そのため、サブフレーム分割部１０３では、５原色映像信号を２つのサブフレームで構成する映像信号に分割し、サブフレーム映像信号を生成する。また、サブフレーム分割部１０３は、同期制御部１０６に対し、サブフレームシンク信号を出力する。
【００１５】
光源制御信号生成部１０４は、サブフレーム映像信号から光源部１０９を発光制御するための光源制御信号を生成する。液晶制御信号生成部１０５は、サブフレーム映像信号から液晶部１１０を駆動制御するための液晶制御信号を生成する。同期制御部１０６は、サブフレーム分割部１０３からのサブフレームシンク信号をもとに、光源制御部１０７と液晶制御部１０８の同期を取るための同期制御信号を生成する。そして、光源制御部１０７及び液晶制御部１０８に出力する。
【００１６】
光源制御部１０７は、光源制御信号をもとに光源部１０９の各色の光源の点灯及び消灯を独立に制御する。なお、光源部１０９の発光制御は、同期制御信号に従い、液晶部１１０の制御タイミングと同期させる。光源部１０９は、光源制御部１０７の発光制御に従い、指定光源を点灯する。液晶制御部１０８は、液晶制御信号をもとに各サブピクセルが指定の透過率となるよう、液晶部１１０を駆動制御する。なお、液晶部１１０の駆動制御は、同期制御信号に従い、光源部１０９の制御タイミングと同期させる。液晶部１１０は、入力する画像データに応じた液晶制御部の駆動制御に従い、各サブピクセルの液晶配向角が変化し、これにより各サブピクセルの透過率が変化する。
なお、液晶表示処理部１００の内部処理のより詳しい説明は、後述するフローチャートを用いて説明する。
【００１７】
図２は、光源部（バックライトモジュール）１０９と液晶部（液晶パネルモジュール）１１０を組み合わせた、液晶モジュールの構造を示した図である。図２は、説明をわかりやすくするため、簡略化した構造図である。実際の詳細構造は、光源強度、光源の拡散板等による拡散特性、光源放射角等を考慮の上、液晶部１１０と光源部１０９との空間距離や、光源数、光源レイアウト等が決定されるものである。
【００１８】
光源部１０９は、バックライト面２１１に赤色光源２１３（第３の光源）、第１の緑色光源２１４、第２の緑色光源２１５及び青色光源２１６（第１の光源）を配置した、ＲＧＧＢバックライトの構成をとる。バックライト面２１１は光源からの光を拡散、反射させる役割を担う。なお、第１の緑色光源２１４及び第２の緑色光源２１５を１組として緑色光源群２１２（第２の光源）と表記する。第１の実施例では、第１の緑色光源２１４及び第２の緑色光源２１５の分光波長特性は同一であるものとする。
【００１９】
液晶部１１０は、透過型の液晶パネルであり、第１の光拡散板２０１、第１の偏光板２
０２、カラーフィルタ２０７、液晶２０８、第２の偏光板２０９及び第２の光拡散板２１０とで構成する。赤色サブピクセル２０４（第３のサブピクセル）、緑色サブピクセル２０５（第２のサブピクセル）、青色サブピクセル２０６（第１のサブピクセル）を１組として構成されるピクセル２０３（画素）の集合である。第１の光拡散板２０１は視野角を補う目的の光拡散板であり、第２の光拡散板２１０は光源部１０９からの光を拡散し、液晶部１１０に入射する光の輝度ムラ、色ムラを抑制する目的の拡散板である。
【００２０】
第１の実施例における、各光源の分光波長特性（発光スペクトル）を図３（ａ）に示す。赤色光源２１３は、赤色波長帯域に波長ピークを持つ分光波長帯域が狭い光源である。同様に青色光源２１６は、青色波長帯域に波長ピークを持つ分光波長帯域が狭い光源である。カラーフィルタ２０７による帯域制限をかけなくとも、十分な赤色（第３の色）、青色（第１の色）の表示色を得ることができる光源である。これに対し、緑色光源群２１２は、シアン色（第４の色）、緑色（第２の色）、黄色（第５の色）を含む分光波長特性を持つ、広演色光源を構成する。
【００２１】
続いて、各サブピクセルの分光波長透過特性（透過スペクトル）を図３（ｂ）に示す。緑色サブピクセル２０５は、緑色の波長帯域の光のみを透過する。これに対し、赤色サブピクセル２０４は、黄色から赤色の波長帯域の光を透過する。同様に青色サブピクセル２０６は、青色からシアン色の波長帯域の光を透過する。つまり、緑色の光源の発光スペクトルと赤色のサブピクセルの透過スペクトルとは黄色の波長域において重なる。また、緑色の光源の発光スペクトル青色のサブピクセルの透過スペクトルとはシアン色の波長域において重なる。
このように、緑色光源群２１２及び青色サブピクセル２０６は、緑色光源群２１２の発光スペクトルが緑色と青色との中間色であるシアン色を含み、且つ、青色サブピクセル２０６がシアン色の光を更に透過する、という第１の条件を満たす。また、緑色光源群２１２及び赤色サブピクセル２０４は、緑色光源群２１２の発光スペクトルが緑色と赤色との中間色である黄色を含み、且つ、赤色サブピクセル２０４が黄色の光を更に透過する、という第２の条件を満たす。
【００２２】
次に、光源部１０９の各光源の発光制御と液晶部１１０の各サブピクセルの透過制御を組み合わせることにより、赤色３０１、黄色３０２、緑色３０３、シアン色３０４及び青色３０５の５原色を抽出する方法について説明する。
【００２３】
１フレームを２つのサブフレームにより分割して時分割表示を行う際の、光源部１０９の各光源の点灯関係、及び液晶部１１０の各サブピクセルの透過制御関係を図５に示す。
【００２４】
図５（ａ）において、第１のサブフレーム期間では、赤色光源２１３及び青色光源２１６を点灯し、緑色光源群２１２を消灯する。そして、サブピクセルは赤色サブピクセル２０４と青色サブピクセル２０６の透過制御を行い、緑色サブピクセル２０５は遮光する（透過率を最小値に制御する）。これにより、赤色３０１と青色３０５の光を透過させる。この関係を図３（ｃ）に示す。赤色光源２１３の分光波長特性に対し、赤色サブピクセル２０４の分光波長透過特性は十分に帯域が広いため、赤色光源２１３の光がほぼそのまま赤色サブピクセル２０４を透過して、赤色３０１の透過光を得ることになる。青色光源２１６と青色サブピクセル２０６の関係も同様に、青色光源２１６の光がほぼそのまま青色サブピクセル２０６を透過して、青色３０５の透過光が得られる。
【００２５】
第２のサブフレーム期間では、緑色光源群２１２のみを点灯し、赤色光源２１３及び青色光源２１６を消灯する。そして、サブピクセルは全色のサブピクセルの透過制御を行なう。これにより、黄色３０２、緑色３０３及びシアン色３０４の光を透過させる。
【００２６】
緑色３０３の表示について、図３（ｄ）をもとに説明する。緑色光源群２１２は広演色光源であり分光波長帯域が広いが、緑色サブピクセル２０５の分光波長透過特性が緑色波長帯域にピークを持つ狭い透過特性を持つことから、緑色サブピクセル２０５で緑色３０３の透過光が得られる。
【００２７】
続いて、黄色３０２及びシアン色３０４の表示について、図３（ｅ）をもとに説明する。緑色光源２１２が点灯中に赤色サブピクセル２０４を透過させると、緑色光源群２１２の分光波長帯域と赤色サブピクセル２０４の分光波長透過特性とが重なる帯域の波長光が、赤色サブピクセル２０４から透過する。これによって、赤色サブピクセル２０４で黄色３０２の透過光が得られる。同様に、緑色光源２１２が点灯中に青色サブピクセル２０６を透過させると、緑色光源群２１２の分光波長帯域と青色サブピクセル２０６の分光波長透過特性とが重なる帯域の波長光が、青色サブピクセル２０６から透過する。これによって、青色サブピクセル２０６でシアン色３０４の透過光が得られる。
【００２８】
１フレームの表示期間を第１のサブフレーム期間及び第２のサブフレーム期間の複数に分割して時分割表示することによって図３（ｆ）で示す分光波長特性を持つ赤色３０１、黄色３０２、緑色３０３、シアン色３０４及び青色３０５による５原色表示が可能となる。また、各々の色の発光輝度を制御することにより、図４の五角形４０１（Ｒ-Ｙ-Ｇ-Ｃ-Ｂ）で示す色域領域の色再現が可能となる。なお参考までに、図４の三角形４０２（Ｒ-
Ｇ-Ｂ）で示す色域領域は、赤色３０１、緑色３０３及び青色３０５の３原色表示で色再
現できる色域領域を示す。比較結果より、５原色表示にすることで、再現できる色域領域が拡張されることが確認できる。
【００２９】
次に、図６のフローチャートを用いて、液晶表示処理部１００での内部処理についてより詳しく説明する。
【００３０】
ステップＳ６０１では、映像データ変換部１０１が、外部より入力される入力映像信号を、液晶部１１０の表示解像度に合わせたピクセル単位のデジタル映像信号に変換し、カラーマトリックス変換部１０２に出力する。そして、ステップＳ６０２に進む。なお、ここでのデジタル映像信号フォーマットとしてはＹＵＶフォーマットを想定するが、各種入力映像の色域を狭めることを抑制しつつ正確にカラーマトリックス変換部１０２に伝送できる映像信号フォーマットであればこれに限定されるものではない。
【００３１】
ステップＳ６０２では、カラーマトリックス変換部１０２が映像データ変換部１０１から入力されるデジタル映像信号をもとに、各ピクセル色を、サブピクセル表示できる５原色成分に分けるカラーマトリックス変換を行う。変換後の映像信号は５原色映像信号として、サブフレーム分割部１０３に出力される。そして、ステップＳ６０３に進む。なお、カラーマトリックス変換には、予め映像表示装置のサブピクセルにて表示可能な５原色に対応し、最適化されたカラー変換テーブルを用いる。これにより、３軸表現されたデジタル映像信号を、５原色成分に置き換えた５原色映像信号に変換する。
【００３２】
ステップＳ６０３では、サブフレーム分割部１０３がカラーマトリックス変換部１０２から入力されるフレーム毎の５原色映像信号（１フレームの画像データ）を、２つのサブフレームの画像データに分割する。第１のサブフレーム期間で表示する赤色３０１及び青色３０５の画素データからなる第１のサブフレーム画像データと、第２のサブフレーム期間で表示する黄色３０２、緑色３０３及びシアン色３０４の画素データからなる第２のサブフレーム画像データとに分割する。この信号をサブフレーム映像信号として生成し、光源制御信号生成部１０４及び液晶制御信号生成部１０５に出力する。また、サブフレーム映像信号をもとにサブフレームシンク信号を生成し、同期制御部１０６に出力する。そしてステップＳ６０４及びステップＳ６０６に進む。
なお、フローチャート上に記載がないが、同期制御部１０６は、サブフレーム分割部１０３からのサブフレームシンク信号をもとに、光源部１０９の光源点灯と液晶部１１０の駆動の同期を取るための同期制御信号を生成する。生成された同期制御信号は、光源制御部１０７及び液晶制御部１０８に出力される。
【００３３】
ステップＳ６０４では、光源制御信号生成部１０４がサブフレーム分割部１０３から入力されるサブフレーム画像データをもとに、光源部１０９の発光制御を行うための、光源制御信号を生成する。光源制御信号は、第１のサブフレーム期間では、赤色光源２１３及び青色光源２１６を点灯し、第２のサブフレーム期間では、緑色光源群２１２を点灯するための制御信号である。生成された光源制御信号は、光源制御部１０７に出力される。そして、ステップＳ６０５に進む。
【００３４】
ステップＳ６０５では、光源制御部１０７が光源制御信号生成部１０４から入力される光源制御信号をもとに、各サブフレーム期間において点灯させる光源を決定する。そして、同期制御部１０６からの同期制御信号に従い、液晶部１１０の制御タイミングと同期させて、光源部１０９を発光制御する。この制御に従い、光源部１０９の指定の光源（光源制御信号による指定の光源）が点灯することになる。そして、ステップＳ６０１に戻り、本フローチャートの処理を繰り返すことになる。
ステップＳ６０６では、液晶制御信号生成部１０５がサブフレーム分割部１０３から入力されるサブフレーム映像信号をもとに、各サブピクセルの透過率を指定の透過率とする液晶配向角を実現するための液晶制御信号を生成する。生成された液晶制御信号は、液晶制御部１０８に出力される。
【００３５】
第１のサブフレーム期間において、赤色のサブピクセルの透過率を第１のサブフレーム画像データの赤色の画素データに応じて制御する。また、緑色のサブピクセルの透過率を遮光（最小値）に制御する。また、青色のサブピクセルの透過率を第１のサブフレーム画像データの青色の画素データに応じて制御する。
【００３６】
第２のサブフレーム期間において、赤色のサブピクセルの透過率を第２のサブフレーム画像データの黄色の画素データに応じて制御する。また、緑色のサブピクセルの透過率を第２のサブフレーム画像データの緑色の画素データに応じて制御する。また、青色のサブピクセルの透過率を第２のサブフレーム画像データのシアン色の画素データに応じて制御する。そして、ステップＳ６０７に進む。
【００３７】
ステップＳ６０７では、液晶制御部１０８が液晶制御信号生成部１０５から入力される液晶制御信号をもとに、液晶部１１０の各サブピクセルの液晶配向角を制御する。そして、同期制御部１０６からの同期制御信号に従い、光源部１０９の制御タイミングと同期させて、液晶部１１０を駆動制御する。これにより、液晶部１１０のサブピクセルの透過率が変化する。そして、ステップＳ６０１に戻り、本フローチャートの処理を１フレーム毎に繰り返すことになる。
【００３８】
これらの構成及び制御により、１フレームの表示期間を２つのサブフレーム期間に分割し、１フレームの画像データを２つのサブフレーム画像データに分割し、時分割表示する。各サブフレーム期間において点灯する光源を切り替える。一方のサブフレーム期間において、発光波長にシアン及び黄色を含む光源を点灯させ、透過波長にシアンを含む液晶部１１０のサブピクセル及び透過波長に黄色を含む液晶部１１０のサブピクセルを透過制御する。これによって、透過光が赤色３０１と緑色３０３の中間色である黄色３０２となるサブピクセル、及び、緑色３０３と青色３０５の中間色であるシアン色３０４となるサブピクセル、を実現できる。従って、赤色３０１、黄色３０２、緑色３０３、シアン色３０４及び青色３０５による５原色表示が可能になる。つまり、赤色、緑色、青色の光源に他
の色の光源を追加したり、赤色、緑色、青色のサブピクセルに他の色のサブピクセルを追加したりすることなく、３原色表示と比較して表示可能な色域領域を拡張することができる。
なお、上述した条件を満足する光源及びサブピクセルの組み合わせにより、少なくとも１色の中間色を得ることによって、光源の色数より多い原色数での表示を行う構成を含む液晶表示装置及びその制御方法は本発明の範囲に含まれる。つまり、黄色３０２及びシアン色３０４のどちらか一方のみを得る構成であってもよい。例えば、青色を第１の色、青色光源を第１の光源、青色サブピクセルを第１のサブピクセル、緑色を第２の色、緑色光源を第２の光源、緑色サブピクセルを第２のサブピクセル、シアン色を第４の色、赤色を第３の色、赤色光源を第３の光源、赤色サブピクセルを第３のサブピクセルとする。図５（ｂ）に示すように、第１のサブフレーム期間では、青色光源を点灯することにより、青色サブピクセルの透過光として青色の光を得るとともに、赤色光源を点灯することにより、赤色サブピクセルの透過光として赤色の光を得る。第２のサブフレーム期間では、緑色光源を点灯することにより、青色サブピクセルの透過光としてシアン色の光、緑色サブピクセルの透過光として緑色の光を得る。赤色サブピクセルは遮光（透過率最小）とする。これにより、赤色、緑色、及び青色の３色の光源及びサブピクセルにより、赤色、緑色、青色、及びシアン色の４原色表示が可能になる。同様に、第２のサブフレーム期間において赤色サブピクセルを透過制御し青色サブピクセルを遮光することにより、赤色、緑色、青色、及び黄色の４原色表示が可能になる。このような構成の青色、緑色及び赤色の光源及びサブピクセルを含み、１フレームの表示期間を少なくとも第１のサブフレーム期間と第２のサブフレーム期間を含む複数のサブフレーム期間に分割して光源の発光制御を行う液晶表示装置は本発明に含まれる。なお、このような４原色表示を行う構成の場合、上記第１の条件又は第２の条件のいずれか一方が成立していれば十分である。すなわち、赤色、緑色、青色、及びシアン色の４原色表示は、第１の条件のみが成立していれば十分である。また、赤色、緑色、青色、及び黄色の４原色表示は、第２の条件のみが成立していれば十分である。第１の条件及び第２の条件が共に成立する場合、上述した赤色、緑色、青色、シアン色、及び黄色の５原色表示を必ずしも行う必要はなく、上記の２通りの４原色表示のいずれかを行っても良い。
また、本実施例では、１フレームの表示期間を第１のサブフレーム期間と第２のサブフレーム期間とに分割して時分割表示する場合を例示した。しかし、１フレームの表示期間を第１のサブフレーム期間と第２のサブフレーム期間と第３のサブフレーム期間とに分割して時分割表示してもよい。例えば、第１のサブフレーム期間では、赤色光源２１３を点灯し、緑色光源群２１２及び青色光源２１６を消灯する。そして、サブピクセルは赤色サブピクセル２０４の透過制御を行い、緑色サブピクセル２０５と青色サブピクセル２０６は遮光する（透過率を最小値に制御する）。これにより、赤色３０１の光を透過させる。第２のサブフレーム期間では、緑色光源群２１２のみを点灯し、赤色光源２１３及び青色光源２１６を消灯する。そして、サブピクセルは全色のサブピクセルの透過制御を行なう。これにより、黄色３０２、緑色３０３及びシアン色３０４の光を透過させる。第３のサブフレーム期間では、青色光源２１６を点灯し、緑色光源群２１２及び赤色光源２１３を消灯する。そして、サブピクセルは青色サブピクセル２０６の透過制御を行い、緑色サブピクセル２０５と赤色サブピクセル２０４は遮光する（透過率を最小値に制御する）。これにより、青色３０５の光を透過させる。この場合も、赤色３０１、黄色３０２、緑色３０３、シアン色３０４及び青色３０５による５原色表示が可能となる。なお、第２のサブフレーム期間において、黄色３０２及びシアン色３０４のどちらか一方のみを得る構成であってもよい。
【００３９】
（実施例２）
以下、本発明の第２の実施例について説明する。第１の実施例との違いは、緑色光源群２１２として広演色光源を用いる代わりに、第１の緑色光源２１４及び第２の緑色光源２１５に異なる分光波長のピークを持つ光源を組み合わせている点が異なる。液晶表示処理
部１００の構成及び内部処理、ならびに液晶モジュールの構造のうち第１の実施例と同等のものについては説明を省略する。
【００４０】
第２の実施例における、各光源の分光波長特性を図７（ａ）に示す。第１の緑色光源２１４及び第２の緑色光源２１５は、異なる分光波長のピークをもつ帯域の狭い光源であり、この２つを合成した緑色光源群の分光波長特性は破線２１２のようになる。第１の緑色光源２１４は、シアン色に近い第１の緑色にピークを持つ発光素子により構成される。第２の緑色光源２１５は、黄色に近い第２の緑色にピークを持つ発光素子により構成される。
【００４１】
続いて、各サブピクセルの分光波長透過特性を図７（ｂ）に示す。第１の実施例でのサブピクセルの分光波長透過特性図３（ｂ）に対し、緑色光源群２１２から緑色７０３のサブピクセル透過光を得るため、緑色サブピクセル２０５の分光波長透過帯域を広げ最適化している。これに合わせ、赤色サブピクセル２０４及び青色サブピクセル２０６の分光波長減衰特性を変え、赤色サブピクセル２０４の減衰開始波長を実施例１より長波長寄りとし、青色サブピクセル２０６の減衰開始波長を実施例１より短波長寄りとしている。緑色の光源の発光スペクトルと赤色のサブピクセルの透過スペクトルとは黄色の波長域において重なり、緑色の光源の発光スペクトルと青色のサブピクセルの透過スペクトルとはシアン色の波長域において重なる点は実施例１と同様である。つまり、本実施例の各色の光源及びサブピクセルは、上述した第１の条件及び第２の条件を満たす。なお、カラーフィルタの役割は第１の実施例と同様である。
【００４２】
第１の実施例と同様に、１フレームを２つのサブフレーム期間に分割し、１フレーム画像データを２つのサブフレーム画像データに分割することにより、１フレームの画像を時分割表示する。そして、光源部１０９の各光源の発光制御と液晶部１１０の各サブピクセルの透過制御を組み合わせることにより、赤色７０１、黄色７０２、緑色７０３、シアン色７０４及び青色７０５の５原色をサブピクセル透過光を得る。
【００４３】
第１のサブフレーム期間では、赤色光源２１３（第４の光源）及び青色光源２１６（第１の光源）を点灯し、緑色光源群２１２（第２及び第３の光源）を消灯する。そして、サブピクセルは赤色サブピクセル２０４（第３のサブピクセル）と青色サブピクセル２０６（第１のサブピクセル）の透過制御を行い、緑色サブピクセル２０５（第２のサブピクセル）は遮光する。これにより、赤色７０１（第４の色）と青色７０５（第１の色）のサブピクセル透過光を得る。この関係を図７（ｃ）に示す。
【００４４】
第２のサブフレーム期間では、緑色光源群２１２（第２及び第３の光源）を点灯し、赤色光源２１３（第４の光源）及び青色光源２１６（第１の光源）を消灯する。そして、サブピクセルは全色のサブピクセル（第１〜第３のサブピクセル）の透過制御を行なう。これにより、黄色７０２（第７の色）、緑色７０３（第５の色）及びシアン色７０４（第６の色）のサブピクセル透過光を得る。図７（ｄ）で示す通り、緑色７０３のサブピクセル透過光は、緑色光源群２１２と緑色サブピクセル２０５との組み合わせで得る。また、図７（ｅ）で示す通り黄色７０２のサブピクセル透過光は、緑色光源群２１２と赤色サブピクセル２０４との組み合わせで得る。同様にシアン色７０４のサブピクセル透過光は、緑色光源群２１２と青色サブピクセル２０６との組み合わせで得る。
【００４５】
この結果、第１のサブフレーム及び第２のサブフレームを用いた時分割表示によって、図７（ｆ）で示す分光波長特性を持つ赤色７０１、黄色７０２、緑色７０３、シアン色７０４及び青色７０５による５原色表示が可能となる。また、各々の色の発光輝度を制御することにより、図８（ａ）の五角形８０１（Ｒ-Ｙ-Ｇ-Ｃ-Ｂ）で示す色域領域の色再現が可能となる。図８（ａ）の三角形８０２（Ｒ-Ｇ-Ｂ）で示す３原色表示で色再現できる色
域領域と比較すると、５原色表示にすることで、表現できる色域領域が拡張されることが確認できる。 
また、１フレームを２つのサブフレームにより分割して時分割表示を行う際の、光源部１０９の各光源の点灯関係、及び液晶部１１０の各サブピクセルの透過制御関係を図８（ｂ）に示す。なお、図８（ｂ）に示すように、第２のサブフレーム期間で、赤色サブピクセルは遮光（透過率最小）としてもよい。これにより、赤色、緑色、青色、及びシアン色の４原色表示が可能になる。同様に、第２のサブフレーム期間において赤色サブピクセルを透過制御し青色サブピクセルを遮光することにより、赤色、緑色、青色、及び黄色の４原色表示が可能になる。
【００４６】
なお第２の実施例では、緑色光源群の発光スペクトルと赤色サブピクセルや青色サブピクセルの透過スペクトルとの重なりが小さいため、黄色７０２及びシアン色７０４の発光強度が、赤色７０１、緑色７０３及び青色７０５に対し小さくなる。この場合、黄色７０２及びシアン色７０４の発光輝度の上限を超えない範囲での５原色表示では、表示可能な色域領域を図８の領域８０１まで拡張することは可能である。しかし、黄色７０２及びシアン色７０４の発光輝度の上限を超えてしまう５原色表示においては、表示可能な色域領域を図８の領域８０１から図８の領域８０２の範囲内で縮小してしまう。そこで、緑色光源群２１２の発光輝度を他の色の光源の発光輝度より高め、緑色サブピクセル２０５の透過率を緑色光源群２１２の発光輝度に応じて小さくすることで緑色７０３を減光調節し、黄色７０２及びシアン色７０４の発光輝度を高めるようにしても良い。
【００４７】
これらの構成及び制御により、緑色光源群２１２に対し、広演色光源の代わりに異なる分光波長のピークを持つ２つの光源の組み合わせ１組とし置き換えた場合でも、実施例１と同様の効果を奏する。すなわち、赤色、緑色、青色の光源やサブピクセルに加えて他の色の光源やサブピクセルを設けることなく、３原色表示と比較して表示可能な色域領域を拡張することができる。
【００４８】
（実施例３）
以下、本発明の第３の実施例について図９及び図１０を用いて説明する。第３の実施例では、第１及び第２の実施例と同様に、第２のサブフレーム期間において、第１の黄色９０２及び第１のシアン色９０４のサブピクセル透過光を得る。そして、さらに第１のサブフレーム期間において、第２のシアン色９０６のサブピクセル透過光を得ることを特徴としている。
【００４９】
液晶表示処理部１００及び液晶モジュールの構造は第１の実施例に準ずるものとし、説明を省略する。液晶表示処理部１００の内部処理について差異の部分について後述し説明する。
図１０（ａ）をもとに説明すると、第２のサブフレーム期間では、緑色光源群２１２が赤色サブピクセル２０４を透過することで第１の黄色９０２を表示し、緑色光源群２１２が青色サブピクセル２０６を透過することで第１のシアン色９０４を表示している。そのため、赤色サブピクセル２０４及び青色サブピクセル２０６の透過率を各々制御することによって、第１の黄色９０２及び第１のシアン色９０４の発光輝度を個別に調整することができる。これは、緑色の光源の発光スペクトルと赤色のサブピクセルの透過スペクトルとは第１の黄色の波長域において重なり、緑色の光源の発光スペクトルと青色のサブピクセルの透過スペクトルとは第１のシアン色の波長域において重なることによる。
【００５０】
一方、赤色の光源の発光スペクトルと緑色のサブピクセルの透過スペクトルとは第２の黄色の波長域において重なり、青色の光源の発光スペクトルと緑色のサブピクセルの透過スペクトルとは第２のシアン色の波長域において重なる場合を想定する。この場合、第１のサブフレーム期間では、赤色光源２１３が緑色サブピクセル２０５を透過することで第
２の黄色（第７の色）を表示し、青色光源２１６が緑色サブピクセル２０５を透過することで第２のシアン色９０６（第６の色）を表示することになる。つまり、共に緑色サブピクセル２０５を用いて、第２の黄色及び第２のシアン色９０６を混色表示することになる。そのため、緑色サブピクセル２０５の透過率を制御する場合、第２の黄色及び第２のシアン色９０６の発光輝度を独立して調整することはできない。
【００５１】
そこで、第３の実施例では、緑色サブピクセル２０５の分光波長透過特性に、赤色光源２１３の分光波長帯域の光を遮断する分光波長透過特性をもたせる。つまり、赤色の光源の発光スペクトルと緑色のサブピクセルの透過スペクトルとは重ならないようにして、緑色サブピクセル２０５より赤色光源２１３の光が漏れるのを抑制する。これにより、図１０（ｂ）で示すように第１のサブフレーム期間において、緑色サブピクセル２０５を用いて第２のシアン色９０６のみ抽出する。これにより、第１のサブフレーム期間に緑色サブピクセル２０５を用いて第２のシアン色９０６の光を透過させ、緑色サブピクセルの透過率を制御することによって、第２のシアン色９０６の発光輝度を調整することができる。
【００５２】
第２の実施例の光源部１０９及び液晶部１１０の構成のまま、第２のシアン色９０６を表示する場合を説明する。図９（ａ）で示す通り、青色光源２１６が点灯中に緑色サブピクセル２０５を透過させると、青色光源２１６の分光波長特性と緑色サブピクセル２０５の分光波長透過特性とが重なる帯域の波長光が、緑色サブピクセル２０５から透過する。これによって、緑色サブピクセル２０５で第２のシアン色９０６の透過光が得られる。
【００５３】
この結果、第１のサブフレーム及び第２のサブフレームを用いた時分割表示によって、図９（ｂ）で示す分光波長特性をもつ赤色９０１、第１の黄色９０２、緑色９０３、第１のシアン色９０４、第２のシアン色９０６及び青色９０５による６原色表示が可能となる。また、各々の色の発光輝度を制御することにより、図９（ｃ）の６角形９１１（Ｒ-Ｙ-Ｇ-Ｃ２-Ｃ１-Ｂ）で示す色域領域の色再現が可能となる。第２の実施例の場合での、図
９（ｃ）の領域９１２で示す５原色表示で色再現できる色域領域と比較すると、６原色表示にすることで、再現できる色域領域がさらに拡張されることが確認できる。
【００５４】
なお、６原色表示が可能になることで、カラーマトリックス変換部１０２では、デジタル映像信号に対し、予め設定される６原色カラー変換テーブルを用いてカラーマトリックス変換を行い、５原色映像信号に代わり６原色映像信号を生成することになる。以降のブロックではこの６原色映像信号をもとにサブフレーム映像信号生成以降の処理を行なう。つまり、入力する１フレームの画像データを、赤色、青色、及び第２のシアン色の画素データからなる第１のサブフレーム画像データと、緑色、黄色、及び第１のシアン色の画素データからなる第２のサブフレーム画像データと、に分割する。
【００５５】
第１のサブフレーム期間において、赤色のサブピクセルの透過率を第１のサブフレーム画像データの赤色の画素データに応じて制御する。緑色のサブピクセルの透過率を第１のサブフレーム画像データの第２のシアン色の画素データに応じて制御する。青色のサブピクセルの透過率を第１のサブフレーム画像データの青色の画素データに応じて制御する。
【００５６】
第２のサブフレーム期間において、赤色のサブピクセルの透過率を第２のサブフレーム画像データの黄色の画素データに応じて制御する。緑色のサブピクセルの透過率を第２のサブフレーム画像データの緑色の画素データに応じて制御する。青色のサブピクセルの透過率を第２のサブフレーム画像データの第１のシアン色の画素データに応じて制御する。こうして、時分割表示による６原色表示を実現する。
【００５７】
これらの構成及び制御により、第１及び第２の実施例に対してさらに、赤色及び青色の２つの光源が点灯するサブフレーム期間において、いずれか一方の光源（ここでは赤色光
源）の発光波長帯域を遮断する透過波長特性の緑色サブピクセルを透過制御する。これにより、第１のサブフレームを用いて緑色９０３と青色９０５の中間色である第２のシアン色９０６を抽出することができる。これによって、赤色９０１、黄色９０２、緑色９０３、第１のシアン色９０４、第２のシアン色９０６及び青色９０５による６原色表示することができる。
【００５８】
なお、第１のサブフレームを用いて第２のシアン色９０６を抽出することを説明したが、逆に緑色サブピクセル２０５の透過特性を青色光源２１６の発光波長帯域を遮断する透過波長特性とすることで、第２の黄色を抽出することも可能である。つまり、青色の光源の発光スペクトルと緑色のサブピクセルの透過スペクトルとは重ならず、赤色の光源の発光スペクトルと緑色のサブピクセルの透過スペクトルとは第２の黄色の波長域において重なるようにする。入力する１フレームの画像データを、赤色、青色、及び第２の黄色の画素データからなる第１のサブフレーム画像データと、緑色、第１の黄色、及びシアン色の画素データからなる第２のサブフレーム画像データと、に分割する。
【００５９】
第１のサブフレーム期間において、赤色のサブピクセルの透過率を第１のサブフレーム画像データの赤色の画素データに応じて制御する。緑色のサブピクセルの透過率を第１のサブフレーム画像データの第２の黄色の画素データに応じて制御する。青色のサブピクセルの透過率を第１のサブフレーム画像データの青色の画素データに応じて制御する。
【００６０】
第２のサブフレーム期間において、赤色のサブピクセルの透過率を第２のサブフレーム画像データの第１の黄色の画素データに応じて制御する。緑色のサブピクセルの透過率を第２のサブフレーム画像データの緑色の画素データに応じて制御する。青色のサブピクセルの透過率を第２のサブフレーム画像データのシアン色の画素データに応じて制御する。これにより、赤色、青色、緑色、シアン色、第１の黄色、第２の黄色による６原色表示が可能になる。
【００６１】
（実施例４）
以下、本発明の第４の実施例について説明する。第４の実施例の構成は、緑色光源群２１２に広演色光源や異なる分光波長のピークをもつ光源を用いず、緑色波長帯域にピークを持つ分光波長帯域が狭い光源を用いた場合である。液晶表示処理部１００の構成及び内部処理、ならびに液晶モジュールの構造は第１の実施例に準じるものとし、説明を省略する。また、６原色表示する場合については、第３の実施例に準じるものとし、説明を省略する。
【００６２】
第４の実施例における赤色光源２１３、緑色光源群２１２及び青色光源２１６の分光波長特性を図１１（ａ）に示す。また、赤色サブピクセル２０４、緑色サブピクセル２０５及び青色サブピクセル２０６の分光波長透過特性を図１１（ｂ）に示す。この特性の違いを組み合わせ、第１及び第３の実施例同様に制御することによって、第１のサブフレーム期間において、図１１（ｃ）及び図１１（ｄ）で示すように、赤色１１０１、青色１１０５及び第２のシアン色１１０６が得られる。また、第２のサブフレーム期間において、図１１（ｅ）及び（ｆ）で示すように、黄色１１０２、緑色１１０３及第１のシアン色１１０４が得られる。
【００６３】
第１のサブフレーム及び第２のサブフレームを用いた時分割表示によって、図１１（ｇ）で示す分光波長特性を持つ赤色１１０１、黄色１１０２、緑色１１０３、第１のシアン色１１０４、第２のシアン色１１０６及び青色１１０５による６原色表示が可能となる。この場合の色再現できる色域領域は、図１２の六角形１２０１（Ｒ-Ｙ-Ｇ-Ｃ１-Ｃ２-Ｂ
）で示す領域となる。なお、赤色１１０１、黄色１１０２、緑色１１０３、第１のシアン色１１０４及び青色１１０５による５原色表示によって色再現できる色域領域が、図１２
の五角形１２０２（Ｒ-Ｙ-Ｇ-Ｃ１-Ｂ）で示す領域となる。また、赤色１１０１、緑色１１０３及び青色１１０５による３原色表示によって色再現できる色域領域が、図１２の三角形１２０３（Ｒ-Ｇ-Ｂ）で示す領域となる。
【００６４】
よって、緑色光源群２１２が緑色波長帯域にピークを持つ分光波長帯域が狭い光源である場合でも、時分割表示により、サブフレーム毎に点灯する光源を切り替えることで、新たな光源やサブピクセルを設けることなく５原色表示や６原色表示が可能になる。これにより、３原色表示と比較して表示可能な色域領域を拡張することができる。
【符号の説明】
【００６５】
１０９：光源部、１１０：液晶部、１０３：サブフレーム分割部、１０７：光源制御部、１０８：液晶制御部
【図１】
0005971976.tif 000002
【図２】
0005971976.tif 000003
【図３】
0005971976.tif 000004
【図４】
0005971976.tif 000005
【図５】
0005971976.tif 000006
【図６】
0005971976.tif 000007
【図７】
0005971976.tif 000008
【図８】
0005971976.tif 000009
【図９】
0005971976.tif 000010
【図１０】
0005971976.tif 000011
【図１１】
0005971976.tif 000012
【図１２】
0005971976.tif 000013